(57)【要約】【課題】  平面媒体を目立ち易くし、お客様の目に付き易い方に向けることができる平面媒体取付け具とそれを用いた広告体を提供する。【解決手段】  薄板状の基材に折り曲げ部を形成して折り曲げ片を連接し、折り曲げ部は基材の表面側又は／及び裏面側に形成されて基材を折り曲げ可能であり、基材の基端側の折り曲げ片を設置面とし、先端側の折り曲げ片を媒体取付け面とした。折り曲げ部は基材に切り込みを入れて形成してもよい。設置面と媒体取付け面に両面テープを貼り付けておいてもよい。切り込みは基材の表裏両面又はいずれか一面に設けることができる。基材の先方に二以上の分岐片を設け、夫々の分岐片に折り曲げ部を設けて折り曲げ片を連接することができる。【選択図】図１
0003170662.tif 000002
【実用新案登録請求の範囲】
【請求項１】
薄板状の基材に折り曲げ部が形成されて二以上の折り曲げ片が連接され、折り曲げ部は基材の表面側又は／及び裏面側に形成されて、前記基材を表面側又は裏面側に折り曲げ可能であり、前記基材の基端側の折り曲げ片に陳列棚、机、事務機器、家材、板状の支持具といった固定部に取付け可能な設置面を備え、先端側の折り曲げ片に平面媒体を取付け可能な媒体取付け面を備えたことを特徴とする平面媒体取付け具。
【請求項２】
請求項１記載の平面媒体取付け具において、折り曲げ部は二以上の箇所に設けて、基材をそれら折り曲げ部から折り曲げ可能としたことを特徴とする平面媒体取付け具。
【請求項３】
請求項１又は請求項２記載の平面媒体取付け具において、折り曲げ部は基材に切り込みを入れることにより形成されたことを特徴とする平面媒体取付け具。
【請求項４】
請求項１ないし請求項３のいずれか１項記載の平面媒体取付け具において、設置面と媒体取付け面に、両面テープが貼り付けられたことを特徴とする平面媒体取付け具。
【請求項５】
請求項１ないし請求項４のいずれか１項記載の平面媒体取付け具において、基材の設置面の先方に二以上の分岐片を備え、夫々の分岐片に二以上の折り曲げ片が連接されたことを特徴とする平面媒体取付け具。
【請求項６】
請求項５記載の平面媒体取付け具において、基材の基端側に設置面が設けられ、二以上の分岐片の先端側の折り曲げ片に媒体取付け面を備えたことを特徴とする平面媒体取付け具。
【請求項７】
請求項１ないし請求項６のいずれか１項記載の平面媒体取付け具の設置面が支持具に取付けられ、その平面媒体取付け具の媒体取付け面に平面媒体が取付けられ、平面媒体取付け具がその折り曲げ部から扁平状に折り畳まれ、その平面媒体取付け具を引き延ばして立体化することにより、平面媒体が支持具に立体的に支持されるようにしたことを特徴とする広告体。
【考案の詳細な説明】
【技術分野】
【０００１】
本願考案は販売促進のための宣伝広告用のパネル、ラベル、ポップといった平面的な広告媒体、伝言ラベル、メモ等の平面的な伝言媒体（以下「平面媒体」という）を支持具に立体的に支持することのできる平面媒体取付け具と、平面的な広告媒体を支持具に取付けた広告体に関する。
【背景技術】
【０００２】
スーパーマーケットやコンビニエンスストア等では、来店者（お客様）の注目を集めるために、店内の商品陳列棚、商品包装箱、陳列商品、それら周辺の壁面等に、宣伝広告用のパネル、ラベル、ポップといった広告媒体を貼り付けているが、広告媒体は紙、樹脂板等の平面的なものが一般的であるため目立ちにくく、広告効果が上がりにくいという難点がある。
【０００３】
会社では電話の伝言内容や事務連絡の内容にメモ用紙が使用され、家庭では家族間の連絡にメモ用紙が使用されているが、これらは平面的であるため目立ちにくいとか、書類の間に紛れ込んで紛失するといった難点がある。
【０００４】
平面的な広告媒体を目立ち易くするため、近年は、平面的な広告媒体を立体的に表示できるようにした取付け具が開発されている。その一例として、例えば、細長テープ状のもの（特許文献１、特許文献２）がある。この他に、図９のように、発泡パネルを重ねて高さを出し、一番上の発泡パネルに広告媒体を貼る方法や陳列棚等に立てた支柱に広告媒体を貼る方法もある。メモ用紙を目立ち易くし、紛失しにくくするため、メモ用紙を挟むことのできるメモ用紙スタンドが開発されている。
【先行技術文献】
【特許文献】
【０００５】
【特許文献１】実用新案登録第３０４１３８９号公報
【特許文献２】特開２００８−２１６６２７号公報
【考案の概要】
【考案が解決しようとする課題】
【０００６】
本願考案の解決課題は、平面媒体を陳列棚や支持具等に立体的に取付けて、目立ち易くし、広告媒体を取付けてもその重さによって広告表示面が下向きになりにくく、平面媒体をお客様の目に付き易い方向に立体的に配置することができ、取付け場所が制約されにくい平面媒体取付け具と、平面的な広告媒体を支持具に貼り付けた広告体を提供することにある。
【課題を解決するための手段】
【０００７】
本願考案の平面媒体取付け具は、薄板状の基材に一又は二以上の折り曲げ部が間隔をあけて形成されて二以上の折り曲げ片が連接され、折り曲げ部は基材の表面側又は／及び裏面側に形成されて基材を表面側又は裏面側に折り曲げ可能であり、前記基材の一端側（基端側）の折り曲げ片を、陳列棚、机、事務機器、家材、板状の支持具といった固定部に取付け可能な設置面とし、基材の先端側の折り曲げ片を、平面媒体を取付け可能な媒体取付け面としたものである。前記設置面、媒体取付け面の夫々には両面テープを取付けておくことができる。
【０００８】
前記折り曲げ部は基材に切り込みを入れることにより形成することができる。前記切り込みは基材の表面側と裏面側の双方またはいずれか一方に設けることができる。基材の先方に二以上の分岐片を設け、夫々の分岐片に一又は二以上の折り曲げ部を設けて、二以上の折り曲げ片を連接することができる。この場合、基材の基端側を設置面に、二以上の分岐片の夫々の先端側の折り曲げ片を媒体取付け面とすることができる。前記設置面と媒体取付け面にも両面テープを貼り付けておくことができる。
【０００９】
本発明の広告体は、前記媒体取付け具の設置面を、陳列棚や商品包装箱等に取付け可能な支持具に貼り付け、先端側の媒体取付け面に平面的な広告媒体を取付け、その取り付け状態で媒体取付け具をその折り曲げ部から折畳んでおき、使用時に前記折り曲げ部から引き延ばして立体的にすることができるようにしたものである。
【考案の効果】
【００１０】
本願考案の平面媒体取付け具には次のような効果がある。
（１）設置面を固定部に取付け、媒体取付け面に平面媒体を取付け、基材の任意の折り曲げ片を、任意の折り曲げ部から折り曲げて平面媒体を陳列棚の前方や横に突出させて、平面媒体を手軽に立体的に陳列棚などに取付けることができる。
（２）折り曲げ部の折り曲げ方向を変えるだけで、平面媒体の突出方向（向き）を変えることができる。
（３）事務機器やパソコンなどの正面だけでなく、側面などに横向きに取付けることもできるので、設置場所が制約されず使い勝手がよい。
（４）設置面と媒体取付け面に両面テープを貼り付けておけば、陳列棚等への設置面の取り付け、媒体取付け面への平面媒体の取付けが容易になる。
（５）基材の先方に二以上の分岐片を設けた場合は、一つの平面媒体取付け具に多くの平面媒体を取付けて、一つの基材で二以上の宣伝広告をすることができる。この場合、夫々の分岐片の折り曲げ部の折り曲げ位置をずらしたり、向きを変えたりすることにより、二以上の分岐片に取付けた平面媒体が重ならないようにすることができ、変化に富んだ立体感を出すことができる。二以上の分岐片に大型の平面媒体を取付けることもでき、平面媒体の支持が安定する。
【００１１】
本願考案の広告体には次のような効果がある。
（１）平面媒体取付け具の媒体取付け面への平面媒体の取付けは、平面媒体取付け具を購入した者が行うのが一般的であるが、本願発明の広告体は、店内の上方から吊下げたり、陳列棚に立て掛けたりする板状の支持具に媒体取付け具の設置面を取付け、媒体取付け面に平面媒体を取付け、その平面媒体取付け具を折り畳んであるため、その折り畳み状態で出荷でき、購入者は媒体取付け具を広げる（折り曲げ部から延ばす）だけで使用できるため、購入後の手間がかからず便利である。
（２）支持具に取り付けられる平面媒体取付け具に、本願発明の平面媒体取付け具を使用するため、前記平面媒体取付け具と同様の効果がある。
【図面の簡単な説明】
【００１２】
【図１】本願考案の平面媒体取付け具の使用状態を示す説明図。
【図２】（ａ）は本願考案の平面媒体取付け具の一例を示す正面図（表面側）、（ｂ）は底面図（平面図と対称）、（ｃ）はその背面図（裏面側）、（ｄ）はその左側面図（右側面図と対称）。
【図３】（ａ）〜（ｄ）は、本願考案の平面媒体取付け具を用いて異なる立体感を出す場合の使用例を示す側面図。
【図４】本願考案の平面媒体取付け具における基材の他例を示すものであって、（ａ）は基材の表裏面に交互に折り曲げ部を形成した場合の平面図、（ｂ）は基材の表裏両面の同位置に折り曲げ部を形成した場合の平面図。
【図５】（ａ）は本願考案の平面媒体取付け具を二つ用いて、二つの平面媒体を異なる立体感で支持する場合の一例を示す側面図、（ｂ）は本願考案の平面媒体取付け具を用いて鯉のぼりの平面媒体を支持する場合の一例を示す正面図。
【図６】基材の先端側に分岐片を設けた平面媒体取付け具の説明図。
【図７】（ａ）は陳列棚等の上面に設置可能な起立式の支持具に、平面媒体を取り付けた使用例を示す側面図、（ｂ）は（ａ）の平面媒体取付け具を折り畳んだ状態を示す側面図。
【図８】（ａ）〜（ｄ）は陳列棚等に設置可能な起立式の支持具に平面媒体を取り付けた使用例を示す側面図。
【図９】（ａ）は平面媒体取付け具を矩形に折り曲げて平面媒体を立体的に支持する場合の一例を示す平面図、（ｂ）はその平面媒体取付け具を折り畳んだ状態を示す平面図。
【図１０】従来使用されていた発泡材製の薄板を積層した支持具の説明図。
【考案を実施するための形態】
【００１３】
（平面媒体取付け具の実施形態）
本願考案の平面媒体取付け具の実施形態の一例について、図１〜図３を参照して説明する。図１に示す実施形態は、平面媒体１が広告用ポップの場合であり、本願考案の平面媒体取付け具２を陳列棚３のフレーム４に貼り付けて、陳列棚３に陳列された商品５を宣伝広告する場合の例である。
【００１４】
この平面媒体取付け具２は、図２（ａ）に示すように薄板状の基材６に折り曲げ部７を設けて、二枚以上の折り曲げ片８が連続形成されており、折り曲げ部７から、例えば、図３（ａ）、（ｂ）に示すようにＶ字状に折り曲げたり、図３（ｃ）に示すように台形状に折り曲げたり、図３（ｄ）に示すように基材６の長手方向両端だけを折り曲げたりすることができる。折り曲げ角度θは用途に合わせて変えることができる、折り曲げ角度θを変えることによって、夫々の平面媒体１の突出長（立体の程度）を調節することができる。
【００１５】
基材６は樹脂製が適するが、強度があれば紙製や他の材質製とすることもできる。樹脂には例えばアクリル材などを用いることができる。基材６は無色透明のものでも、着色されたものでも、半透明のものであってもよい。図２（ａ）の基材６は横細長であるが、基材６は他の形状、長さであってもよく、折り曲げ片８の枚数、サイズも用途に応じて設計できる。アクリル材の表裏両面又はいずれか片面には傷つき防止用の保護フィルムが貼られていることがある。基材６としてそのようなアクリル材を使用した場合、保護フィルムはそのまま貼り付けておくことができる。
【００１６】
基材６の長手方向一端の折り曲げ片８の裏面側（背面側）は、両面テープが接着されて、陳列棚３やそれに陳列した商品５、或いは陳列棚３の上面や陳列棚３付近の床面などに設置可能な板状の支持具１０（図７（ａ）、（ｂ））に貼り付けることのできる設置面８ａとされ、長手方向他端側（先端側）の折り曲げ片８の表面側（正面側）は、両面テープが接着されて平面媒体１を取付けることができる媒体取付け面８ｂとしてある。両面テープには既存のものを使用することができる。両面テープの代わりに他の接着用具を使用することもできる。場合によっては、両面テープや接着剤等を設けず、使用にあたって、接着剤、クリップ、鋲等の固定具を使用することもできる。
【００１７】
折り曲げ部７は、図２（ｂ）に示すように、基材６の表面に側面視Ｕ字状の切り込みや溝を入れて形成してある。折り曲げ部７は側面視Ｖ字状とか矩形、線状といった他の形状であってもよい。図２（ａ）、（ｂ）の基材６には四本の折り曲げ部７が均一間隔で形成されているが、その間隔は不均一であってもよい。折り曲げ部７の溝の深さは基板６が分断されず、所望角度に折り曲げ可能な深さとすることができる。
【００１８】
折り曲げ部７は基材６の裏面側に設けることも、表裏面の双方に設けることもできる。表裏面に設ける場合は、図４（ａ）に示すように表面と裏面に交互に設けることができる。交互ではなく二本置き或いは数本置きに表面と裏面に設けることもできる。折り曲げ部７を表裏面の双方に設ける場合、図４（ｂ）に示すように基材６の表裏面の同一箇所に形成することもできる。折り曲げ部７の本数は一本でも三本以上でもよい。
【００１９】
本願考案では図６のように、一つの基材６の先端側に二以上の分岐片９を設け、夫々の分岐片９に折り曲げ部７を設けることもできる。この場合の折り曲げ部７の溝や切り込みの形状、深さ、形成箇所、本数等も用途に合わせて各種用意することできる。分岐片９を設けた場合は、基材６にも折り曲げ部７を形成することができる。また、基材６の根元側に設置面８ａを設け、夫々の分岐片９の先端側に媒体取付け面８ｂを設けることができる。
【００２０】
（広告体の実施形態）
本願考案の広告体の実施形態について、図７（ａ）、（ｂ）を参照して説明する。この広告体１２は、図７（ａ）、（ｂ）に示すように、支持具１０の前面に、前記した一又は二以上の平面媒体取付け具２の設置面８ａを取り付け、平面媒体取付け具２の媒体取付け面８ｂに平面媒体１を取り付け、その平面媒体取付け具２を折り畳み、引き延ばし自在としたものである。図７（ａ）、（ｂ）に示す支持具１０は、裏面に保持脚１１を設けて支持具１０を陳列棚３の上に立てられるようにしてある。支持具１０は陳列棚３の上のほか、商品包装箱の上などに設置することもでき、場合によっては、紐材や係止具によって壁面、扉などに吊り下げられるようにすることもできる。
【００２１】
図７（ａ）、（ｂ）の実施形態における平面媒体取付け具２は、折り曲げ片８の数が異なる（四片のもの、五片のもの、六片のもの）を使用してある。平面媒体取付け具２は前記組合せに限らず、折り曲げ片８の数が同じもの又は異なるものを任意に組み合わせることができる。夫々の平面媒体取付け具２には平面媒体１が一枚ずつ貼り付けてあるが、媒体取付け面８ｂを大きくして、一つの媒体取付け面８ｂに二以上の平面媒体１を貼り付けることもできる。
【００２２】
図７（ａ）に示す夫々の平面媒体取付け具２は波状にジグザグ（Ｖ字状）に折り曲げ、折り曲げ角度θを変えることにより、夫々の媒体取付け面８ｂに取り付けられた平面媒体１の突出長と向き（立体感）を変えてある。支持具１０に貼り付けた平面媒体取付け具２は、図７（ｂ）に示すように折り畳んで嵩張らないようにして出荷し、出荷先で平面媒体取付け具２を任意の角度で任意の角度になるように引き延ばして図７（ａ）に示すように立体的に戻すことができる。
【００２３】
本願考案の平面媒体取付け具２に貼り付ける平面媒体１は、各種形状、模様等にすることができる。例えば、ケーキ、飲料、アイスクリーム等の宣伝広告したい各種商品の形にすることもできる。平面媒体１にはＰＲしたい宣伝文句、キャッチコピー等を表示することもできる。
【００２４】
（平面媒体取付け具及び広告体の他の実施形態）
本願考案の平面媒体取付け具２は、基材６の折り曲げ方向や折り曲げ角度θに自由度があるため、用途に応じて前述以外の曲げ方で使用することもできる。本願考案の平面媒体取付け具２は、平面媒体１のみならず、多少凹凸のある立体的に形成された媒体であっても取付けることができる。
【００２５】
（平面媒体取付け具の使用例１）
本願考案の平面媒体取付け具２の使用例を、図１及び図３（ａ）、（ｂ）を参照して説明する。この使用例は一つの平面媒体取付け具２を用いて一つの平面媒体１を支持する場合の例である。
【００２６】
平面媒体取付け具２を図１及び図３（ａ）、（ｂ）に示すようにジグザグ状に折り曲げ、平面媒体取付け具２の長手方向一端に設けられた媒体取付け面８ｂに平面媒体１を貼り付け、平面媒体取付け具２の長手方向他端側に設けられた設置面８ａを、陳列棚３のフレーム４に貼り付けて、平面媒体１を陳列棚３の外まで突出させる。このとき、平面媒体１の広告表示面がお客様の目につき易い方向を向くように折り曲げ角度θを調節する。
【００２７】
（平面媒体取付け具の使用例２）
本願考案の平面媒体取付け具２の他の使用例として図５（ａ）に示すものは、二つの平面媒体取付け具２を用いて二つの平面媒体１を支持する場合の例である。
【００２８】
設置面８ａ、媒体取付け面８ｂを上向きにして折り曲げ、設置面８ａを陳列棚３のフレーム４に取付け、媒体取付け面８ｂに平面媒体１の下部を取付けて、平面媒体１の上部を媒体取付け面８ｂの上方に突出させる。その平面媒体１の上部に別の平面媒体取付け具２の折り曲げ片８（媒体取付け面８ｂ）を貼り付け、その媒体取付け面８ｂに別の平面媒体１を貼り付ける。必要に応じて、前記貼り付けを繰り返して、枚数の平面媒体１を上下に多段に設けることができる。
【００２９】
（平面媒体取付け具の使用例３）
本願考案の平面媒体取付け具２の他の使用例を、図５（ｂ）を参照して説明する。この使用例は「こどもの日」向けのキャンペーンで使用する鯉のぼりを平面媒体１としたものである。この使用方法は、図５（ｂ）に示すように、基材６の長手方向一端側の媒体取付け面８ｂに平面媒体１を貼り付け、基材６の設置面８ａを陳列棚３のフレーム４に貼り付けて、四枚の平面媒体１を陳列棚３の外側に突出させて上下に配列した例である。
【００３０】
（平面媒体取付け具の使用例４）
本願考案の平面媒体取付け具２の他の使用例を、図６を参照して説明する。この使用例は分岐片９を備えた一つの平面媒体取付け具２を用いて三つの平面媒体１を支持する場合の例である。基材６の根元側の設置面８ａを陳列棚３などに固定し、夫々の分岐片９の媒体取付け面８ｂに平面媒体１を取付けることができる。この場合、一つの平面媒体取付け具２の三つの分岐片９に大きな一枚の平面媒体１を取付けることもできる。
【００３１】
（広告体の使用例１）
本願考案の広告体１２の使用例を、図８（ａ）〜（ｄ）を参照して説明する。これらの使用例は、支持具１０に、平面媒体１を取り付けた平面媒体取付け具２を貼り付ける場合の例であり、図７（ａ）、（ｂ）に示すように、出荷時には平面媒体取付け具２を折り畳んで嵩張らないようにし、出荷先で平面媒体取付け具２を折り曲げ又は伸ばして立体的にすることができる。
【００３２】
図８（ａ）は、折り曲げ片８の数が異なる二つの平面媒体取付け具２（一方は折り曲げ片８が三片のもの、他方は折り曲げ片８が五片のもの）を用いて、二枚の平面媒体１を支持する場合の例である。同図に示すように、二つの平面媒体取付け具２はその長手方向両端側を上向きに折り曲げてコ字状にしてある。上向きコ字状に折り曲げられた一方の平面媒体取付け具２（折り曲げ片８が五片のもの）が支持具１０に貼り付けられ、その平面媒体取付け具２の媒体取付け面８ｂに平面媒体１が貼り付けられている。その平面媒体１の表面下端側には、他方の平面媒体取付け具２（折り曲げ片８が三片のもの）の一端側が貼り付けられ、その平面媒体取付け具２の媒体取付け面８ｂに他の平面媒体１が貼り付けられている。
【００３３】
図８（ｂ）は、折り曲げ片８の数が異なる三つの平面媒体取付け具２（折り曲げ片８が五片、四片及び三片のもの）を用いて、三枚の平面媒体１を支持する場合の例である。同図に示すように、これら三つの平面媒体取付け具２はいずれも長手方向端部の設置面８ａと媒体取付け面８ｂを上向きに折り曲げたコ字状であり、夫々の平面媒体取付け具２の設置面８ａを支持具１０の表面に貼り付け、夫々の媒体取付け面８ｂに平面媒体１が貼り付けられている。
【００３４】
図８（ｃ）は、折り曲げ片８の数が異なる二つの平面媒体取付け具２（一方は折り曲げ片８が四片のもの、他方は折り曲げ片８の数が三片のもの）を用いて、二枚の平面媒体１を支持する場合の例である。同図に示すように、折り曲げ片８が四片の平面媒体取付け具２は設置面８ａと媒体取付け面８ｂを上向きに折り曲げたコ字状であり、折り曲げ片８が三片の平面媒体取付け具２は平坦状である。コ字状の平面媒体取付け具２の設置面８ａは支持具１０に貼り付けられ、媒体取付け面８ｂに平面媒体１が貼り付けられている。その平面媒体１の裏面下端側に他方の平面媒体取付け具２の上端側の折り曲げ片８（媒体取付け面８ｂ）を貼り付け、その平面媒体取付け具２の下端側の折り曲げ片８に他の平面媒体１が貼り付けられている。
【００３５】
図８（ｄ）は、折り曲げ片８の数が同じ二つの平面媒体取付け具２（双方とも折り曲げ片８が四片のもの）を組み合わせて、二枚の平面媒体１を斜めに支持する場合の例である。同図に示すように、下側の平面媒体取付け具２は設置面８ａと媒体取付け面８ｂを上向きに折り曲げたコ字状であり、媒体取付け面８ｂ側を設置面８ａよりもやや内向き傾斜となるように深めに折り曲げてある。媒体取付け面８ｂには平面媒体１が斜め上向きとなるように貼り付けてある。上側の平面媒体取付け具２は下側の平面媒体取付け具２を上下逆さま（下向きコ字状）にしたものであり、その平面媒体取付け具２の媒体取付け面８ｂには平面媒体１が斜め下向きとなるように貼り付けてある。
【００３６】
（広告体の使用例２）
本願考案の広告体の他の使用例を、図９（ａ）、（ｂ）を参照して説明する。この使用例は、図８（ａ）〜（ｄ）に示す使用例と同様、平面媒体取付け具２で支持された平面媒体１を、陳列棚３の上面に立て掛けた支持具１０に取り付ける場合の例であり、折り曲げ片８の数が同じ三つの平面媒体取付け具２（いずれも折り曲げ片８が五片のもの）を用いて三つの平面媒体１を支持する場合の例である。
【００３７】
この使用例では、平面媒体取付け具２を支持具１０に対して縦向きに貼り付けてある。夫々の平面媒体取付け具２は、突出長（Ｌ１〜Ｌ３）の異なる横向きコ字状であり、夫々の媒体取付け面８ｂに平面媒体１が貼り付けられている。
【００３８】
平面媒体取付け具２は図９（ｂ）に示すように平面状に折り畳んで出荷し、出荷先で平面媒体取付け具２を任意長に折り曲げ又は伸ばすことによって、図９（ａ）のように立体状に戻すことができる。
【産業上の利用可能性】
【００３９】
本願考案の平面媒体取付け具２は、誕生日や結婚式の二次会といった各種パーティーの会場で使用される装飾品や、歯科医院や小児科医院の診察室などで使用される装飾品を支持するために利用することもできる。
【符号の説明】
【００４０】
１    平面媒体
２    平面媒体取付け具
３    陳列棚
４    フレーム
５    商品
６    基材
７    折り曲げ部
８    折り曲げ片
８ａ  設置面
８ｂ  媒体取付け面
９    分岐片
１０  支持具
１１  保持脚
１２  広告体
【図１】
0003170662.tif 000003
【図２】
0003170662.tif 000004
【図３】
0003170662.tif 000005
【図４】
0003170662.tif 000006
【図５】
0003170662.tif 000007
【図６】
0003170662.tif 000008
【図７】
0003170662.tif 000009
【図８】
0003170662.tif 000010
【図９】
0003170662.tif 000011
【図１０】
0003170662.tif 000012